(57)【特許請求の範囲】
【請求項１】
底版、頂版及び両側壁からなるボックスカルバートを、底版の両側上に上向きの側壁を有する下半体と、頂版の両側下に下向きの側壁を有する上半体とに分割して成形しておき、前記下半体の両側壁上端面に前記上半体の両側壁の下端面を対向させ、前記下半体の各側壁に設置した下半体側ＰＣ緊張材の上端に、前記上半体の各側壁のＰＣ緊張材挿通孔に挿通した上半体側ＰＣ緊張材を連結し、該上半体側ＰＣ緊張材を上半体上より緊張することによって前記上下半体を一体化させる分割型ボックスカルバートの組立方法において、
前記上半体のＰＣ緊張材挿通孔に、予め上半体側ＰＣ緊張材を挿通するとともに、その上端を前記ＰＣ緊張材挿通孔の上端開口部近傍に緊張材連結用治具を介して吊り下げ保持させ、この状態で該上半体を前記下半体上に移動させ、下半体の側壁上に上半体の側壁を、ＰＣ緊張材連結作業間隙を開けた状態で設置し、前記ＰＣ緊張材連結作業間隙にて上下半体側の両ＰＣ緊張材の連結作業を行い、然る後上下半体側の各側壁間を接合させ、前記上半体上にて上半体側ＰＣ緊張材の上端を緊張定着させることを特徴としてなる分割型ボックスカルバートの組立方法。
【請求項２】
緊張材連結用治具に対して上半体側ＰＣ緊張材の上端を螺合しておき、該上半体側ＰＣ緊張材を緊張材連結用治具から抜け出る方向に回転させることによってその下端を下半体側ＰＣ緊張材上端に備えた連結具に対して螺合させる請求項１に記載の分割型ボックスカルバートの組立方法。
【請求項３】
上半体上面のＰＣ緊張材挿通孔上端部周縁に、定着具設置用の凹部を形成しておき、緊張材連結用治具を前記凹部内に回り止めされた状態で挿入し、上半体側ＰＣ緊張材を吊り下げ保持する請求項１又は２に記載の分割型ボックスカルバートの組立方法。
【請求項４】
緊張材連結用治具には、上半体側ＰＣ緊張材の上端が螺合される雌ネジ穴の下端延長配置に、前記上半体側ＰＣ緊張材の上端が水平方向の移動が規制された状態で軸方向に移動可能なガイド穴を備え、該上半体ＰＣ緊張材の上端が前記雌ネジ穴から抜け出てガイド穴にガイドされた状態で下半体側ＰＣ緊張材上端の連結具内に螺進されるようにしてなる請求項２又は３に記載の分割型ボックスカルバートの組立方法。
【請求項５】
底版、頂版及び両側壁からなるボックスカルバートを、底版の両側上に上向きの側壁を有する下半体と、頂版の両側下に下向きの側壁を有する上半体とに分割して成形しておき、前記下半体の両側壁上端面に前記上半体の両側壁の下端面を対向させ、前記下半体の各側壁に設置した下半体側ＰＣ緊張材の上端に、前記上半体の各側壁のＰＣ緊張材挿通孔に挿通した上半体側ＰＣ緊張材を連結し、該上半体側ＰＣ緊張材を上半体上より緊張することによって上下半体を一体化させる分割型ボックスカルバートの組立に使用する緊張材連結用治具であって、
前記上半体側ＰＣ緊張材の上端が螺合される雌ネジ部と、前記上半体のＰＣ緊張材挿通孔の上端部位置に形成された緊張材定着具収容凹部内に嵌合されることによって回り止めされる回り止め部とを一体に有し、前記上半体側ＰＣ緊張材を、その上端を前記雌ネジ部に螺合させ、ＰＣ緊張材挿通孔内に挿通した状態で該ＰＣ緊張材挿通孔上端部に吊り持ち保持させる分割型ボックスカルバートの組立に使用する緊張材連結用治具。
【請求項６】
緊張材定着具設置用凹部の平面形状に合わせた角板形状をした回り止め部を備えるとともに、該回り止め部の中央部分に、下面中央にＰＣ緊張材が螺合される雌ネジ穴が開口された柱状の本体部を一体に備え、該本体部の下端側がＰＣ緊張材挿通孔内に挿入されるようにしてなる請求項５に記載の分割型ボックスカルバートの組立に使用する緊張材連結用治具。
【請求項７】
本体部の下端に、上半体側ＰＣ緊張材の上端が水平方向の移動が規制された状態で軸方向に移動可能なガイド穴を備えてなる請求項５又は６に記載の分割型ボックスカルバートの組立に使用する緊張材連結用治具。
【発明の詳細な説明】
【０００１】
【発明の属する技術分野】
本発明は、主に下水道等の暗渠を構築するのに用いられる分割型ボックスカルバートの組立方法及び該組立に使用する緊張材連結用治具に関する。
【０００２】
【従来の技術】
従来、下水道等の暗渠の構築には、頂部がアーチ型をした馬蹄渠型や断面が矩形状に形成された矩形渠型等のボックスカルバートを上下に２分割した形状の上下半体を予め工場等で製作しておき、その上下半体を施工現場において組み立てて一体化させて、頂版、底版及び両側壁とからなる筒状のボックスカルバートとし、そのボックスカルバートを連結していくことにより構築する工法が用いられており、この分割型のボックスカルバートを使用することによって、ボックスカルバートをコンクリートの現場打ちによって形成する場合と比較して、施工現場における工程を減らすことができ、工期の短縮を実現している。
【０００３】
この上下に分割されたボックスカルバート半体を一体化させる方法には、ボルトを用いるボルト接合やＰＣ緊張材を用いるＰＣ接合等が知られているが、大型のボックスカルバートの場合には、強度等を考慮してＰＣ緊張材を用いて一体化させるのが一般的であり、例えば、図９に示すように、ボックスカルバート１を工場で底版２ａの両側上に上向きの側壁２ｂ，２ｂを有する下半体２と、頂版３ａの両側下に下向きの側壁３ｂ，３ｂを有する上半体３とに分割しておく。そして、設置現場において下半体２の両側壁上端面に上半体３の両側壁の下端面を対向させ、下半体２の各側壁２ｂ、２ｂに設置した下半体側ＰＣ緊張材４の上端に、上半体の各側壁のＰＣ緊張材挿通孔７，７…に挿通した上半体側ＰＣ緊張材８を連結具６を介して連結し、上半体側ＰＣ緊張材８を上半体上より緊張させ、端部８ｂをＰＣ緊張材挿通孔７の端部に形成されたＰＣ緊張材定着具設置用凹部１１に定着部材５（アンカープレート５ａ、ワッシャー５ｂ、ナット５ｃ）で定着させることによって一体化させている。
【０００４】
このような分割型ボックスカルバートの組立は、主に次の方法のいずれかで行われるのが一般的である。
【０００５】
その第１の方法は、図１０に示すように、上半体側ＰＣ緊張材８を連結具６を介して予め下半体側ＰＣ緊張材４と連結させ、ボックスカルバート下半体２の側壁２ｂの側壁端面に上半体側ＰＣ緊張材８が立設された状態にしておき、ボックスカルバート上半体３を側壁２ｂに立設された上半体側ＰＣ緊張材８がＰＣ緊張材挿通孔７に挿通されるように移動して吊り降ろし、両半体２，３の側壁端面を接合させ、その後、上半体側ＰＣ緊張材８を緊張させることによって一体化させるようになっている。
【０００６】
その第２の方法は、図１１に示すように、側壁２ｂ端面にスペーサー９，９…を設置したボックスカルバート下半体２上にボックスカルバート上半体３を移動させて吊り降ろし、側壁２ｂ，３ｂ端面間にＰＣ緊張材連結作業間隙１０を開けた状態にしておき、この状態でボックスカルバート上半体３の上面より上半体側ＰＣ緊張材８をＰＣ緊張材挿通孔７に挿入し、ＰＣ緊張材連結作業間隙１０にて側壁端面より突出した上半体側ＰＣ緊張材８の端部を連結具６に連結させ、連結が完了したらスペーサー９を除去するとともにボックスカルバート上半体３を吊り降ろして両半体２，３の側壁端面を接合させ、その後、上半体側ＰＣ緊張材８を緊張させることによって一体化させるようになっている。
【０００７】
その第３の方法では、図１２に示すように、まずボックスカルバート下半体２上にボックスカルバート上半体３を移動させて吊り降ろし、両半体２，３の側壁端面を接合させ、その状態でボックスカルバート上半体３の上面より上半体側ＰＣ緊張材８をＰＣ緊張材挿通孔７に挿入し、その上半体側ＰＣ緊張材８の端部を手又はハンドル等の治具を使って操作することによって、下端８ａを連結具６に連結させ、連結が完了した後、上半体側ＰＣ緊張材８を緊張させることによって一体化させるようになっている。
【０００８】
【発明が解決しようとする課題】
しかし、上述の第１の方法では、立設された上半体側ＰＣ緊張材８が必ずしも側壁２ａから垂直に立ち上がっている訳ではないので、ボックスカルバート下半体２とボックスカルバート上半体３とを接合させる際に、作業員が人力によって上半体側ＰＣ緊張材８をＰＣ緊張材挿通孔７に挿入されるように誘導するという危険な作業を伴い、またその誘導作業を行う為に足場が必要となり、その足場の設置及び撤去作業によって作業効率が低下するという問題があった。
【０００９】
また、上述の第２の方法では、上半体側ＰＣ緊張材８をＰＣ緊張材挿通孔７に挿入する作業は、作業員がボックスカルバート上半体３上面に乗って人力によって行っており、係る場合にボックスカルバート上半体３はクレーン等に吊られて未だ不安定な状態にあるので危険であるという問題があり、また、ＰＣ緊張材挿通孔内径は上半体側ＰＣ緊張材の直径に比べて大きいため上半体側ＰＣ緊張材８がＰＣ緊張材挿通孔に斜めに挿入されてしまい連結具６と連結し難い、即ち、連結具６のネジ穴６ａに対し、上半体側ＰＣ緊張材下端８ａの雄ネジ部が真っ直ぐ挿入され難いという問題もある。
【００１０】
第３の方法では、上半体側ＰＣ緊張材８と連結具６との連結状態を目視で確認することができないので安全性に問題があり、また、第２の方法と同様に、ＰＣ緊張材挿通孔の内径は、上半体側ＰＣ緊張材の直径に比べて大きいため上半体側ＰＣ緊張材８がＰＣ緊張材挿通孔に斜めに挿入されてしまい連結具６と連結し難い、即ち、連結具６のネジ穴６ａに対し、上半体側ＰＣ緊張材下端８ａの雄ネジ部が真っ直ぐ挿入され難いという問題もある。
【００１１】
本発明は、このような従来技術の問題を鑑み、安全且つ容易に組立が可能な分割型ボックスカルバートの組立方法及び該組立に使用される緊張材連結用治具の提供を目的とする。
【００１２】
【課題を解決するための手段】
上述の如き従来の問題を解決し、所期の目的を達成するための請求項１の発明は、底版、頂版及び両側壁からなるボックスカルバートを、底版の両側上に上向きの側壁を有する下半体と、頂版の両側下に下向きの側壁を有する上半体とに分割して成形しておき、前記下半体の両側壁上端面に前記上半体の両側壁の下端面を対向させ、前記下半体の各側壁に設置した下半体側ＰＣ緊張材の上端に、前記上半体の各側壁のＰＣ緊張材挿通孔に挿通した上半体側ＰＣ緊張材を連結し、該上半体側ＰＣ緊張材を上半体上より緊張することによって前記上下半体を一体化させる分割型ボックスカルバートの組立方法において、前記上半体のＰＣ緊張材挿通孔に、予め上半体側ＰＣ緊張材を挿通するとともに、その上端を前記ＰＣ緊張材挿通孔の上端開口部近傍に緊張材連結用治具を介して吊り下げ保持させ、この状態で該上半体を前記下半体上に移動させ、下半体の側壁上に上半体の側壁を、ＰＣ緊張材連結作業間隙を開けた状態で設置し、前記ＰＣ緊張材連結作業間隙にて上下半体側の両ＰＣ緊張材の連結作業を行い、然る後上下半体側の各側壁間を接合させ、前記上半体上にて上半体側ＰＣ緊張材の上端を緊張定着させることを特徴とする。
【００１３】
このように構成することで、危険な作業を減らして分割型ボックスカルバートの組立における安全性を向上させ、また、上半体側ＰＣ緊張材と連結具との間の連結を容易に行うことができ、作業効率も向上する。
【００１４】
請求項２の発明は、請求項１の発明において、緊張材連結用治具に対して上半体側ＰＣ緊張材の上端を螺合しておき、該上半体側ＰＣ緊張材を緊張材連結用治具から抜け出る方向に回転させることによってその下端を下半体側ＰＣ緊張材上端に備えた連結具に対して螺合させることで、緊張材連結用治具によって規制された状態のまま上半体側ＰＣ緊張材の連結具への連結作業を行うことができ、また、上半体側ＰＣ緊張材と連結具との連結作業と同時に緊張材連結用治具から上半体側ＰＣ緊張材を取り外す作業を行うことになるので効率がよく、上半体側ＰＣ緊張材と連結具との間の連結作業を好適に行うことができる。
【００１５】
請求項３の発明は、請求項１又は２の発明のいずれかにおいて、上半体上面のＰＣ緊張材挿通孔上端部周縁に、定着具設置用の凹部を形成しておき、緊張材連結用治具を前記凹部内に回り止めされた状態で挿入し、上半体側ＰＣ緊張材を吊り下げ保持することで、上半体側ＰＣ緊張材を好適にボックスカルバート上半体に保持させることができるとともに、上半体側ＰＣ緊張材と連結具との間のネジによる連結を好適に行うことができる。
【００１６】
請求項４の発明は、請求項１〜３の発明のいずれかにおいて、緊張材連結用治具には、上半体側ＰＣ緊張材の上端が螺合される雌ネジ穴の下端延長配置に、前記上半体側ＰＣ緊張材の上端が水平方向の移動が規制された状態で軸方向に移動可能なガイド穴を備え、該上半体ＰＣ緊張材の上端が前記雌ネジ穴から抜け出てガイド穴にガイドされた状態で下半体側ＰＣ緊張材上端の連結具内に螺進されるようにしたことで、螺合が進んで雌ネジ穴から上半体側ＰＣ緊張材が抜け出てもガイド穴にガイドさせることで、上半体側ＰＣ緊張材の垂直性が保たれて上半体側ＰＣ緊張材と連結具との間の連結作業を好適に行うことができる。
【００１７】
請求項５の発明は、底版、頂版及び両側壁からなるボックスカルバートを、底版の両側上に上向きの側壁を有する下半体と、頂版の両側下に下向きの側壁を有する上半体とに分割して成形しておき、前記下半体の両側壁上端面に前記上半体の両側壁の下端面を対向させ、前記下半体の各側壁に設置した下半体側ＰＣ緊張材の上端に、前記上半体の各側壁のＰＣ緊張材挿通孔に挿通した上半体側ＰＣ緊張材を連結し、該上半体側ＰＣ緊張材を上半体上より緊張することによって上下半体を一体化させる分割型ボックスカルバートの組立に使用する緊張材連結用治具であって、前記上半体側ＰＣ緊張材の上端が螺合される雌ネジ部と、前記上半体のＰＣ緊張材挿通孔の上端部位置に形成された緊張材定着具収容凹部内に嵌合されることによって回り止めされる回り止め部とを一体に有し、前記上半体側ＰＣ緊張材を、その上端を前記雌ネジ穴に螺合させ、ＰＣ緊張材挿通孔内に挿通した状態で該ＰＣ緊張材挿通孔上端部に吊り持ち保持させることを特徴とする。
【００１８】
このように構成することで、上半体側ＰＣ緊張材を好適にボックスカルバート上半体に保持させることができるとともに、上半体側ＰＣ緊張材を抜け出し方向に回転させることによって容易に上半体側ＰＣ緊張材と連結具との間の連結を行うことができる。
【００１９】
請求項６の発明は、請求項５の発明において、緊張材定着具設置用凹部の平面形状に合わせた角板形状をした回り止め部を備えるとともに、該回り止め部の中央部分に、下面中央にＰＣ緊張材が螺合される雌ネジ穴が開口された柱状の本体部を一体に備え、該本体部の下端側がＰＣ緊張材挿通孔内に挿入されるようにしたことで、ボックスカルバート上半体に上半体側ＰＣ緊張材を垂直に規制された状態に保持させることができ、また、回り止めがなされているので、好適に上半体側ＰＣ緊張材を抜け出し方向に回転させることができる。
【００２０】
請求項７の発明は、請求項５又は６の発明において、本体部の下端に、上半体側ＰＣ緊張材の上端が水平方向の移動が規制された状態で軸方向に移動可能なガイド穴を備えたことで、上半体側ＰＣ緊張材がネジ穴より抜け出てもガイド穴にガイドされて、水平方向に移動が規制されて好適に上半体側ＰＣ緊張材と連結具との連結を行うことができる。
【００２１】
【発明の実施の形態】
次に、本発明の実施の形態を図について説明する。尚、上述の従来例と同一の部分には同一符号を付して重複説明を省略する。
【００２２】
図１は分割型ボックスカルバートの組立の概略を示し、符号１は分割型ボックスカルバートである。
【００２３】
分割型ボックスカルバート１は、図９に示す従来例と同様に構成され、上下に分割された上下半体２，３を一体化させることで、底版、頂版及び両側壁からなる筒状のボックスカルバートが形成されるようになっている。
【００２４】
ボックスカルバート下半体２は、平板状の底版２ａと、底版２ａの両側上に上向きに設けられた側壁２ｂ，２ｂとを有し、底版２ａ及び側壁２ｂ，２ｂとが断面コ字状となるようにコンクリートによって一体に形成されている。
【００２５】
この側壁２ｂには、下端４ａが定着部材５によってボックスカルバート下半体２に定着され、上端４ｂが連結具６に連結された下半体側ＰＣ緊張材４が設置されている。
【００２６】
連結具６は、カップラー等の中央にネジ穴６ａを有する筒状のものが用いられ、内周に設けられたネジ穴（雌ネジ）６ａにボルト状の端部（雄ネジ）を螺合することによって連結することができるようになっている。尚、この連結具６は、両半体２，３を一体化する以前においては、下端部に下半体側ＰＣ緊張材４が連結され、上方の端面が側壁２ｂの側壁端面と略同一面上となるように埋め込まれている。
【００２７】
ボックスカルバート上半体３は、平板状の頂版３ａと、頂版３ａの両側下に下向きに設けられた側壁３ｂ，３ｂとを有し、頂版３ａ及び側壁３ｂ、３ｂとが断面コ字状となるようにコンクリートによって一体に形成されている。
【００２８】
この側壁３ｂには、上下方向に貫通したＰＣ緊張材挿通孔７，７…が形成されており、このＰＣ緊張材挿通孔７の上端部には、定着部材５を定着させる定着具設置用凹部１１が形成され、下端部には、ＰＣ緊張材８を緊張した際に連結具６が逃げられるように逃げ用凹部１２が形成されている。尚、ＰＣ緊張材挿通孔７の内径は、挿通される上半体側ＰＣ緊張材８の直径より大きく、定着具設置用凹部１１の形状は、上方に稍拡開したテーパ状四角柱形状となっている。
【００２９】
このボックスカルバート上半体３には、図１中２点鎖線で示すように予め、上半体側ＰＣ緊張材８をＰＣ緊張材挿通孔７に挿通させておくとともに、その上端をＰＣ緊張材挿通孔７の上端開口部近傍に緊張材連結用治具１３を介して吊り下げ保持させておく。
【００３０】
この緊張材連結用治具１３は、図３に示すように、上半体側ＰＣ緊張材の上端が螺合される雌ネジ部１４を有する本体部１５と、緊張材定着具収容凹部１１内に嵌合されることによって回り止めされる回り止め部１６とを一体に有している。
【００３１】
本体部１５は、鋼製の柱状材により構成され、下面中央に開口した雌ネジ穴１４ａを備えている。この柱状材の外形はＰＣ緊張材挿通孔７の内径と略同一或いは稍小さめとなっており、下端部がＰＣ緊張材挿通孔７に挿入され嵌り込むようになっている。
【００３２】
また、本体部下端には、内径が雌ネジ穴１４ａの谷の径と略同径或いは谷の径より稍大きいガイド穴１７が、雌ネジ穴１４ａと連通した状態で一体に備えてられている。
【００３３】
尚、図中符号１８はアイボルトであり、このアイボルト１８にフック等を係止させて緊張材連結用治具１３を吊ることができるようになっている。
【００３４】
雌ネジ穴１４ａは、１０〜２０ｍｍ程度の深さにネジ穴が螺刻され、図４に示すように、上半体側ＰＣ緊張材８端部のボルト状ネジ部８ｂとの間に、その頂部と底部との間及び対向する傾斜部間にそれぞれクリアランスが設けられるようになっている。
【００３５】
本体部１５の周縁には、回り止め部１６が一体或いは一体的に備えられている。
【００３６】
回り止め部１６は、図５に示すように、定着具設置用凹部１１の平面形状に合わせて四角形に形成され、その外形は定着具設置用凹部１１内形より稍小さめに形成され、回り止め部外縁と定着具設置用凹部内面との間には、小さな（２ｍｍ程度の）間隙を有する。このように構成したことで、本体部１５がＰＣ緊張材挿通孔７を軸受けとして回転しようとしても回り止め部１６の外縁が定着具設置用凹部１１の内側面にぶつかり回転を抑止するようになっている。
【００３７】
回り止め部１６には、図３に示すように円筒状の抜け止め部１９が、一方の端部が回り止め部１６の下面に溶接されて一体化されている。この抜け止め部１９の高さｈは、抜け止め部１９の下端面より本体部１５の下端部が突出する高さとしている。
【００３８】
尚、抜け止め部１９は、上記円筒状の他、図７に示すように、四角形やその他の多角形の角筒状に形成されてもよい。
【００３９】
この緊張材連結用治具１３は、図６に示すように、本体部１５の下端部がＰＣ緊張材挿通孔７に嵌り込んだ状態で抜け止め部１９の端面がＰＣ緊張材挿通孔開口周縁に当接されて抜け止めがなされ、回り止め部１６が定着具設置用凹部１１に嵌り込んで回り止めがなされている。従って、本体部１５に螺合された上半体側ＰＣ緊張材８は、本体部１５の下端部がＰＣ緊張材挿通孔７に挿入されていることで略垂直に吊り下げ保持できるようになっており、また、緊張材連結用治具１３は回り止めされているので、上半体側ＰＣ緊張材８を抜け出し方向に回転させることで好適に本体部１５よりボルト状の上半体側ＰＣ緊張材端部８ｂを取り外すことができるようになっている。しかも、ガイド穴１７によって、上半体側ＰＣ緊張材８の端部が雌ネジ部１４より抜け出た後も、水平方向の移動が規制されるので上半体側ＰＣ緊張材８の垂直性が維持されるようになっている。
【００４０】
この分割型ボックスカルバートの組立方法は、上述したように、ボックスカルバート上半体３に予め、上半体側ＰＣ緊張材８をＰＣ緊張材挿通孔７に挿通させるとともに、その上端をＰＣ緊張材挿通孔７の上端開口部近傍に緊張材連結用治具１３を介して吊り下げ保持させておく。
【００４１】
次に、ボックスカルバート下半体２の側壁２ｂ，２ｂの側壁端面にスペーサー２０，２０…を載置し、ボックスカルバート上半体３をクレーン等で吊って移動させ、スペーサー２１の上に吊り降ろす。即ち、スペーサー２１を介して上下のボックスカルバート半体２，３の側壁端面間にＰＣ緊張材連結作業間隙２１を開けた状態でボックスカルバート上半体３をボックスカルバート下半体２上に設置する。
【００４２】
この場合、ボックスカルバート上半体３は、スペーサー２１を介してボックスカルバート下半体２上に載置した後も、クレーン等に吊ったままとしておく。
【００４３】
この状態で、ＰＣ緊張材連結作業間隙２１にて、図８に示すように、連結具６と上半体側ＰＣ緊張材８との連結作業を行う。上半体側ＰＣ緊張材８を手又は治具を用いてネジ穴１４ａより抜け出る方向即ち降下方向へ回転させると、上半体側ＰＣ緊張材８の上端部８ｂが緊張材連結用治具１３より繰り出され、下端部８ａが連結具６に接近し、螺合されるようになっている。
【００４４】
このとき、上半体側ＰＣ緊張材８は、緊張材連結用治具１３によって規制され、垂下された状態にあるので、好適に連結具６に連結することができる。即ち、連結具６のネジ穴６ａに上半体側ＰＣ緊張材の下端部８ａが真っ直ぐ挿入され、好適に螺合できるようになっている。
【００４５】
更には、治具本体部１５の雌ネジ穴１４ａとＰＣ緊張材８のネジ部８ｂとの頂部と底部の間、相互に対向する傾斜部間にそれぞれクリアランスを持たせたことで、連結具６に対する上半体側ＰＣ緊張材８の進入角度に自由度を持たせることができ、連結具６と上半体側ＰＣ緊張材８とに多少中心軸方向の角度が生じても好適に螺合することができるようになっている。
【００４６】
こうして、連結具６と上半体側ＰＣ緊張材８との連結が完了したら、スペーサー２０，２０を除去し、ボックスカルバート上半体３を吊り降ろして上下両半体２，３の端面同士を互いに接合させる。
【００４７】
次に、上半体上にて、緊張材連結用治具１３を取り除き、上半体側ＰＣ緊張材の端部８ｂにアンカープレート５ａ、ワッシャー５ｂ、ナット５ｃからなる定着部材５を取付け、定着具設置用凹部１１に緊張用ジャッキを設置する。そして、緊張用ジャッキによって所定の緊張力を付与し、ＰＣ緊張材が伸びている状態でナットを締め込み定着させることによって上下のボックスカルバート半体２，３が一体化される。
【００４８】
そして最後に、ＰＣ緊張材挿通孔７と上半体側ＰＣ緊張材８との間にできた空隙にグラウトを注入して分割型ボックスカルバート１の組立が完了する。そして、この分割型ボックスカルバートを連結していくことによって下水道等の暗渠が構築される。
【００４９】
【発明の効果】
上述のように、本発明に係る分割型ボックスカルバートの組立方法は、不安定状態にあるボックスカルバート上半体に乗って作業を行う等の危険な作業を排除し、組立時における安全性が向上するとともに、上半体側ＰＣ緊張材と連結具との間の連結を好適に且つ容易に行うことができ、作業効率が向上する。
【００５０】
また、本発明に係る緊張材連結用治具を用いることで、好適に上半体側ＰＣ緊張材をボックスカルバート上半体に保持させることができ、更には、上半体側ＰＣ緊張材が連結具に対して真っ直ぐに挿入されるように規制され、連結具との間の連結を容易なものにすることができる。
【図面の簡単な説明】
【図１】本発明に係る分割型ボックスカルバート組立の概略を示す側面図である。
【図２】同上の正面図である。
【図３】本発明に係る分割型ボックスカルバートの緊張材連結用治具を示す縦断面図である。
【図４】同上の本体部雌ネジ穴と上半体側ＰＣ緊張材との連結状態を示す部分拡大断面図である。
【図５】同上の緊張材連結用治具の取付け状態を示す平面図である。
【図６】同上の縦断面図である。
【図７】同上の緊張材連結用治具の他の実施例を示す平面図である。
【図８】作業用空間の状態を示す縦断面図である。
【図９】従来の分割型ボックスカルバートの接合状態を示す縦断面図である。
【図１０】（ａ）は従来の分割型ボックスカルバートの第１の組立方法の概略を示す正面図、（ｂ）は同側面図である。
【図１１】（ａ）は従来の分割型ボックスカルバートの第２の組立方法の概略を示す正面図、（ｂ）は同側面図である。
【図１２】（ａ）は従来の分割型ボックスカルバートの第３の組立方法の概略を示す正面図、（ｂ）は同側面図である。
【符号の説明】
１３  緊張材連結用治具
１４  雌ネジ部
１４ａ  雌ネジ穴
１５  本体部
１６  回り止め部
１７  ガイド穴
１８  アイボルト
１９  抜け止め部
２０  スペーサー
２１  ＰＣ緊張材連結作業間隙
【図１】
0003648528.tif 000002
【図２】
0003648528.tif 000003
【図３】
0003648528.tif 000004
【図４】
0003648528.tif 000005
【図５】
0003648528.tif 000006
【図６】
0003648528.tif 000007
【図７】
0003648528.tif 000008
【図８】
0003648528.tif 000009
【図９】
0003648528.tif 000010
【図１０】
0003648528.tif 000011
【図１１】
0003648528.tif 000012
【図１２】
0003648528.tif 000013